(57)【要約】【課題】規定量の粒状触媒が通気性ケース内に均一に充填された触媒収容体を有し、水素製造効率に優れると共に、水素分離体の損傷も防止される水素製造装置を提供する。【解決手段】水素製造装置１は、装置殻体２と、水素分離体３及び触媒収容体４とを有する。触媒収容体４は、通気性を有した内周壁１１及び外周壁１２を有した二重筒状の通気性ケース１０内に粒状の改質触媒１５を充填したものである。複数個の触媒収容体４が、水素分離体３に外嵌され、装置殻体２内に多段に積み重ねられるようにして配置されている。原料ガスが改質触媒１５と接触することにより、水素ガスを含んだ改質ガスが生成し、水素分離体３を選択的に透過した水素が取出口６から取り出される。【選択図】図１
2014156362.tif 000002
【特許請求の範囲】
【請求項１】
一方の側から他方の側へ水素を選択的に透過させる水素分離体と、
該水素分離体の一方の側に配置された粒状の改質触媒とを有し、
該水素分離体及び改質触媒が装置殻体内に配置されている水素製造装置において、
該改質触媒が通気性ケース内に収容されて触媒収容体とされていることを特徴とする水素製造装置。
【請求項２】
請求項１において、前記水素分離体は外周側から内周側に水素を透過させるように筒形状に形成されており、
前記通気性ケースは、該水素分離体の外周面に沿う内周壁と、該内周壁と同軸状の外周壁と、該内周壁及び外周壁の軸心方向一端側が連なる第１のエンド壁とを有しており、該通気性ケースに改質触媒を収容してなる該触媒収容体が該水素分離体に外嵌されていることを特徴とする水素製造装置。
【請求項３】
請求項２において、前記通気性ケースは、前記内周壁及び外周壁の軸心方向他端側が連なる第２のエンド壁を有することを特徴とする水素製造装置。
【請求項４】
請求項２又は３において、前記通気性ケースの軸心方向の長さは前記水素分離体の軸心方向長さよりも小さく、複数個の前記触媒収容体が水素分離体の軸心方向に配列されていることを特徴とする水素製造装置。
【請求項５】
請求項４において、隣接する前記触媒収容体同士を係合させる係合部が各通気性ケースに設けられていることを特徴とする水素製造装置。
【請求項６】
請求項１ないし５のいずれか１項において、前記通気性ケースはメッシュ又は多孔板よりなることを特徴とする水素製造装置。
【発明の詳細な説明】
【技術分野】
【０００１】
本発明は、原料ガスを改質触媒により改質し、改質ガスから水素ガスを水素分離体によって選択的に分離することにより水素を製造する水素製造装置に関する。
【背景技術】
【０００２】
燃料電池に供給する水素を製造する装置として、特許文献１，２に、天然ガス等の原料ガスを改質して水素を生成する触媒と、水素のみを透過させる金属製の水素透過膜（水素分離金属層）を有する筒状の水素分離体とを反応器（装置殻体）内に配置した水素製造装置が記載されている。
【０００３】
特許文献１の水素製造装置では、金属製の反応管の内部に、外側表面に水素透過膜を有する水素分離体が配置されるとともに、水素分離体と反応管の内壁との間に、ペレット状（ビーズ状）の触媒が充填されている。
【０００４】
特許文献２の水素製造装置では、ペレット状の触媒の代わりに、円環形状の触媒担持セラミック多孔質体を筒状水素分離体に外嵌させている。
【０００５】
特許文献１，２の水素製造装置では、炭化水素ガス及び水蒸気を含む原料ガスが触媒に接触して、水蒸気改質反応等が生じることにより、水素ガスを含んだ改質ガスが生成する。
【０００６】
例えばメタンの水蒸気改質では、下記式（１）及び式（２）の反応式に従って、水素、一酸化炭素、二酸化炭素を含んだ改質ガスが生成する。  
ＣＨ４＋Ｈ２Ｏ  →  ＣＯ＋３Ｈ２  （改質反応）    ・・・（１）
ＣＯ＋Ｈ２Ｏ  →  ＣＯ２＋Ｈ２      （シフト反応）    ・・・（２）
【０００７】
この改質ガスから、水素分離体によって水素を選択的に分離することにより、高純度の水素ガスを得ることができる。
【先行技術文献】
【特許文献】
【０００８】
【特許文献１】特開２００５−５８８２３号公報
【特許文献２】ＷＯ２００６／０８２９３３
【発明の概要】
【発明が解決しようとする課題】
【０００９】
水素製造装置には、使用時は高温とし不使用時は低温とする熱サイクルが加えられるので、反応管が膨張と収縮を繰り返す。そのため、上述した特許文献１，２の水素製造装置では、水素分離体が破損し易いという問題があった。
【００１０】
即ち、特許文献１の水素製造装置の場合、金属製の反応管（装置殻体）が高温になって膨張すると、ペレット状の触媒はその膨張した空間を満たすように下降するが、反応管が低温になって収縮すると、その下方に詰まった状態の成形触媒は殆ど移動できないので、反応管によって内側に押圧されることになる。その結果、内側に押圧された触媒はセラミックス製の水素分離体を押圧し、この押圧力によって水素分離体が破損することがある。
【００１１】
また、特許文献１の水素製造装置では、反応管とモジュールの間に触媒を直に充填するところから、密に触媒を充填することができるが、多数のモジュールで比較した場合に、触媒の充填量（充填密度）が異なり、各モジュールで通気抵抗（圧力損失）が異なることになる。そして、この結果、原料ガスが流れやすいモジュールと流れにくいモジュールが生じ、システム全体としての性能が低下してしまうという課題があった。また、触媒を密に詰める際には、反応管に外力を加える必要があり、モジュールが破損するおそれもある。
【００１２】
また、特許文献１，２のいずれの水素製造装置においても、温度の昇降による熱膨張・収縮に伴って触媒と水素分離体とが摩擦摺動し、水素分離体（特に水素分離膜）に破損が生じ易い。
【００１３】
特許文献２の触媒は円環形状のセラミック多孔質体よりなるものであるが、このようなセラミック多孔質体は気孔分布の最適化が難しい。また、セラミックスを焼成する際に焼成収縮が生じることから、円環形状体の内径及び外径の寸法公差が小さくなると水素分離体を損傷し易くなるため、寸法公差を大きく、水素分離体とセラミック多孔質体の内周面との間隔の公差も大きくする必要があり、その場合、水素製造効率が下がるおそれがある。
【００１４】
本発明は、上記従来の問題点を解決し、規定量の粒状触媒が通気性ケース内に均一に充填された触媒収容体を有し、水素製造効率に優れると共に、水素分離体の損傷も防止される水素製造装置を提供することを目的とする。
【課題を解決するための手段】
【００１５】
本発明の水素製造装置は、一方の側から他方の側へ水素を選択的に透過させる水素分離体と、該水素分離体の一方の側に配置された粒状の改質触媒とを有し、該水素分離体及び改質触媒が装置殻体内に配置されている水素製造装置において、該改質触媒が通気性ケース内に収容されて触媒収容体とされていることを特徴とする。
【００１６】
本発明の一態様では、前記水素分離体は外周側から内周側に水素を透過させるように筒形状に形成されており、前記通気性ケースは、該水素分離体の外周面に沿う内周壁と、該内周壁と同軸状の外周壁と、該内周壁及び外周壁の軸心方向一端側が連なる第１のエンド壁とを有しており、該通気性ケースに改質触媒を収容してなる該触媒収容体が該水素分離体に外嵌されている。
【００１７】
前記通気性ケースは、前記内周壁及び外周壁の軸心方向他端側が連なる第２のエンド壁を有してもよい。
【００１８】
前記通気性ケースの軸心方向の長さは前記水素分離体の軸心方向長さよりも小さく、複数個の前記触媒収容体が水素分離体の軸心方向に配列されていることが好ましい。
【００１９】
隣接する前記触媒収容体同士を係合させる係合部が各通気性ケースに設けられてもよい。
【００２０】
前記通気性ケースはメッシュ又は多孔板よりなることが好ましい。
【発明の効果】
【００２１】
本発明の水素製造装置では、改質触媒を収容した通気性ケースと水素分離体との間に間隙をあけ、触媒収容体と水素分離体との摩擦摺動を防止し、水素分離体の損傷を防止することができる。
【００２２】
本発明の水素製造装置にあっては、粒状改質触媒が通気性ケースに収容されており、規定量の触媒粒子を通気性ケース内に均一に充填することができる。従って、本発明の水素製造装置を複数個並列設置した場合であっても、各水素製造装置に均等にガスが流れるようになり、水素が安定して製造される。また、改質触媒を収容した通気性ケースと水素分離体とからなるモジュールを１つの装置殻体内に複数個並列設置した場合であっても、各モジュールに均等にガスが流れるようになり、水素が安定して製造される。
【００２３】
本発明では、改質触媒を通気性ケースに収容して触媒収容体としており、触媒収容体を水素分離体に容易に着脱することができる。装置殻体内に触媒収容体を複数個設置することにより、各触媒収容体の大きさも適切となり、取り扱いが容易となる。
【００２４】
本発明の水素製造装置では、触媒の担持量、気孔率などを最適化した改質触媒を別途用意する必要がなく、一般的な粒状改質触媒を使用することができる。
【００２５】
本発明において、前記水素分離体は外周側から内周側に水素を透過させるように筒形状に形成されており、前記通気性ケースは、該水素分離体の外周面に沿う内周壁と、該内周壁と同軸状の外周壁と、該内周壁及び外周壁の軸心方向一端側が連なる第１のエンド壁とを有しており、該通気性ケースに改質触媒を収容してなる該触媒収容体が該水素分離体に外嵌されている構成とすることにより、改質反応で生じた水素ガスを効率よく水素分離体によって分離することができる。
【００２６】
この場合、通気性ケースの軸心方向長さを水素分離体の軸心方向長さよりも小さくし、複数個の通気性ケースを水素分離体の軸心方向に配列させる構成とすることが好ましい。このように構成すると、通気性ケースの軸心方向長さが比較的短いものとなるので、通気性ケース内に粒状改質触媒を容易に均一に充填することができる。また、通気性ケースの長さが比較的短いところから、触媒収容体が若干変形しても、該触媒収容体を水素分離体に容易に嵌合させることができる。
【００２７】
通気性ケースの他端側に第２のエンド壁を設けた場合、触媒収容体を傾けたりしても改質触媒が通気性ケースから流出しないので、触媒収容体の取り扱いが容易となる。
【００２８】
触媒収容体同士を係合させる係合部を通気性ケースに設けることにより、触媒収容体の位置ずれが防止される。
【図面の簡単な説明】
【００２９】
【図１】実施の形態に係る水素製造装置の縦断面図である。
【図２】水素分離体の先端部の拡大断面図である。
【図３】通気性ケースの斜視図である。
【図４】通気性ケースの縦段面図である。
【図５】図４のＶ−Ｖ線断面図である。
【図６】別の実施の形態に係る水素製造装置の系統図である。
【図７】さらに別の実施の形態に係る水素製造装置の縦断面図である。
【図８】（ａ）図は別形状の通気性ケースの斜視図、（ｂ）図はその縦断面図である。
【図９】（ａ）図はさらに別形状の通気性ケースの斜視図、（ｂ）図はその縦断面図である。
【発明を実施するための形態】
【００３０】
以下、図面を参照して実施の形態について説明する。
【００３１】
図１〜５は実施の形態に係る水素製造装置１を示している。図１の通り、この水素製造装置１は、装置殻体（ベッセル）２と、該装置殻体２内に設置された水素分離体３及び触媒収容体４とを有する。装置殻体２は、円筒形であり、一端側（図１の上端側）に原料ガスの流入口５及び水素ガス取出口６が設けられ、他端側にオフガスの流出口７が設けられている。水素ガス取出口６は装置殻体２の天蓋部の軸心部に配置されている。この実施の形態では、原料ガス流入口５及びオフガス流出口７はそれぞれ装置殻体２の側周部に設けられているが、これに限定されない。
【００３２】
水素ガス取出口６に対し継手８を介して水素分離体３が接続されている。水素分離体３は、図１の下端側が封じられた円筒形状であり、装置殻体２と同軸状に設置されている。水素分離体３は、図２の通り、ガス透過性のセラミックス多孔質体よりなる本体３ａと、該本体３ａの外面に形成された３層の多孔質層３ｂ，３ｃ，３ｄとを有する。３層の多孔質層３ｂ〜３ｄのうち中間の多孔質層３ｃの気孔の一部にはＰｄ、Ｐｄ合金などの水素透過性金属材料が充填されており、これにより、水素ガスが選択的に水素分離体３の外周側から内周側へ透過するよう構成されている。最外層の多孔質層３ｄは保護層である。
【００３３】
触媒収容体４は、図３〜５に示す通気性ケース１０内に粒状の改質触媒１５を充填したものである。通気性ケース１０は、メッシュ又はパンチングプレート等（この実施の形態ではメッシュ）よりなる通気性を有した内周壁１１及び外周壁１２を有した二重筒状である。この実施の形態では、内周壁１１及び外周壁１２の軸心方向の一端側（図３，４の下端側）が第１のエンド壁１３に連なっており、このエンド壁１３に通気孔１４が設けられている。エンド壁１３はメッシュ製とされてもよい。
【００３４】
内周壁１１と外周壁１２との間のスペースに粒状の改質触媒１５が充填されている。改質触媒１５を充填した後、上端部に第２のエンド壁（図３，４では図示略）を装着してもよい。第２のエンド壁としては第１のエンド壁１３と同様の構成のものが好適である。なお、第２のエンド壁を設けることにより、触媒収容体４を傾けても改質触媒１５が通気性ケース１０から流出せず、触媒収容体４の取り扱いが容易となる。
【００３５】
改質触媒１５は、平均粒径１〜５ｍｍ特に１〜３ｍｍ程度の略均一粒径の球状であることが好ましい。この粒状改質触媒としては、触媒特性が既知の市販品等を用いることができる。改質触媒１５の平均粒径をａ（ｍｍ）とした場合、内周壁１１と外周壁１２との間隔ｂはａの１〜３倍、特に１．５〜２倍程度が好ましい。また、通気性ケース１０の軸心方向の長さＬは、水素分離体の長さに対して、１／１０〜１／２、特に１／５〜１／３程度であることが好ましい。このような条件を満たす場合、改質触媒１５を通気性ケース１０内に容易に均一に充填することができる。また、Ｌが比較的小さいので、改質触媒１５を充填しても、内周壁１１及び外周壁１２が中膨れ状に変形することがなく、保形性（形状保持性）が良好である。また、仮に触媒収容体４が若干変形した場合であっても、該触媒収容体４を水素分離体３に容易に嵌合させることができる。
【００３６】
なお、内周壁１１及び外周壁１２のメッシュの目開き及び通気孔１４の孔径は改質触媒１５の最小粒径の２０〜８０％特に３０〜５０％程度が好適である。
【００３７】
通気性ケース１０内に改質触媒１５を充填するに際して、予め秤量しておいた規定量の改質触媒１５を充填することにより、各触媒収容体４の重量を均一にすることができる。また、改質触媒１５を通気性ケース１０に充填している途中でバイブレータや叩打機等によって振動や軽い衝撃を加えることにより、通気性ケース１０内に粒状の改質触媒１５を均等充填密度となるように充填することができる。
【００３８】
規定量の改質触媒１５を通気性ケース１０内に充填した後、触媒の上側に触媒落下防止のために耐熱性ウール（ガラスウール、ロックウール、スラグウール、アルミナウール等）を詰めてもよく、前述の第２のエンド壁を取り付けてもよい。耐熱性ウールを詰めてから第２のエンド壁を取り付けてもよい。
【００３９】
改質触媒１５を通気性ケース１０内に収容した触媒収容体４が、水素分離体３に外嵌され、図１の通り、装置殻体２内に多段に積み重ねられるようにして配置されている。水素分離体３は、各触媒収容体４の内孔に縦通するようにして設置されている。触媒収容体４の内周面と水素分離体３との間には、０．５〜２０ｍｍ特に０．５〜２ｍｍ程度の間隙を形成することが好ましい。なお、この間隙が小さすぎると、両者が接触するおそれがあり、大きすぎると性能が低下する可能性がある。各触媒収容体４の内径は同一であってもよく、異なってもよい。
【００４０】
図示は省略するが、装置殻体２を囲むようにチャンバが設けられ、該チャンバと装置殻体２との間に燃焼ガス等の高温ガスを流通させることにより装置殻体２内を３００〜６００℃特に５００〜５５０℃程度に加熱可能に構成する。
【００４１】
このように構成された水素製造装置１によって水素を製造するには、水素製造装置１を３００〜６００℃特に５００〜５５０℃程度に昇温させた状態で原料ガスを流入口５から装置殻体２内に導入する。原料ガスが改質触媒１５と接触することにより、前記反応式に従って改質反応が進行し、水素ガスを含んだ改質ガスが生成する。生成した水素は、水素分離体３を選択的に透過し、取出口６から取り出される。ＣＯ、ＣＯ２、Ｈ２Ｏ等よりなるオフガスは、流出口７から流出する。
【００４２】
図６は図１に示す水素製造装置１を複数個並列に設置した水素製造システム図であり、原料ガスライン２０により各水素製造装置１に原料ガスが供給され、水素ライン２１により各水素製造装置１からの水素が取り出され、オフガスライン２２により各水素製造装置１からのオフガスが取り出される。
【００４３】
図６では水素製造装置１を個別に設置しているが、図７では複数個の水素分離モジュール２４を１個の装置殻体２５内に設置している。各モジュール２４は、水素分離体３と、該水素分離体３に外嵌された複数個の触媒収容体４とからなる。水素分離体３及びそれを取り巻く触媒収容体４の構成は水素製造装置１の場合と同一である。
【００４４】
装置殻体２５内には、複数個の円筒状のモジュール収容室２６が区画形成されており、各モジュール収容室２６にそれぞれモジュール２４が設置されている。装置殻体２５には原料ガスの流入口２７とオフガスの流出口３０とが設けられている。
【００４５】
この実施の形態では、各モジュール収容室２６は上下方向に延設されており、流入口２７は下側ヘッダー部２８を介して各モジュール収容室２６の下部に連通している。各モジュール収容室２６の上部は、上側ヘッダー部２９を介して流出口３０に連通している。
【００４６】
なお、図示とは逆に、流入口２７を装置殻体２５の上側に設置し、流出口３０を下側に設置してもよい。
【００４７】
各水素分離体３は、装置殻体２５の天井部を貫通して上方に延出している。装置殻体２５を取り巻くようにチャンバ４０が設けられている。装置殻体２５とチャンバ４０との間のスペースに流入口４１から加熱用ガス（燃焼ガス）が導入され、装置殻体２５及びその内部を加熱した後、流出口４２から排ガスとなって流出する。チャンバ４０の天井面には、各モジュール２４の上方位置に水素ガスの取出口４３が設けられ、該取出口４３に継手４４を介して水素分離体３の上端が連結されている。
【００４８】
この図７の水素製造装置においては、チャンバ４０内に燃焼ガスを流通させることにより、各モジュール２４を３００〜６００℃例えば５００〜５５０℃程度に加熱した状態で流入口２７から原料ガスが装置殻体２５内に導入される。この原料ガスは、下側ヘッダー部２８から各モジュール収容室２６に分配供給され、触媒収容体４の改質触媒と接触し、水素ガスを含んだ改質ガスが生成する。生成した水素ガスは、水素分離体３を透過し、取出口４３から水素取出ライン４６を経て取り出される。オフガスは、上側ヘッダー部２９を経て流出口３０から流出する。
【００４９】
このように各触媒収容体４に規定量の改質触媒１５が均一な充填密度にて充填されているため、図６，７のように複数個の水素製造装置１又は水素分離モジュール２４を並列設置した場合においても、各水素製造装置１又はモジュール２４にガスが均等に流れる。そのため、触媒の経時劣化も各水素製造装置１又はモジュール２４において同等となる。
【００５０】
また、触媒収容体４の内周面と水素分離体３の外周面との間に若干（例えば０．５〜２０ｍｍ程度）の隙間をあけておくと、触媒収容体４と水素分離体３の外周面とが摩擦摺動することがなく、水素分離体３の水素分離膜の損傷も防止される。
【００５１】
本発明では、上下に積み重ねられた触媒収容体４の位置決めを行うために、触媒収容体４同士を係合させる係合部を通気性ケースに設けてもよい。図８，９はかかる係合部が設けられた通気性ケースの一例を示す。
【００５２】
図８の通気性ケース１０Ａは、第１のエンド壁１３及び第２のエンド壁１６をテーパ形とし、上下に重ねたときに、通気性ケース１０Ａ，１０Ａのテーパ形状部同士が係合するようにしたものである。
【００５３】
図９の通気性ケース１０Ｂは、第２のエンド壁１６に凸部１８を設け、第１のエンド壁１３に凹部１９を設け、上下に重ねたときに下段側通気性ケース１０Ｂの凸部１８が上段側通気性ケース１０Ｂの凹部１９に係合するようにしたものである。各通気性ケース１０Ｂの第２のエンド壁１６には通気孔１７が設けられている。各通気性ケース１０Ｂを積み重ねた場合、上段側の通気性ケース１０Ｂの通気孔１４と下段側の通気性ケース１０Ｂの通気孔１７とが重なり合って連通することが好ましい。
【００５４】
次に触媒、水素分離体、装置殻体等の好適な材料について説明するが、本発明は以下のものになんら限定されない。
【００５５】
改質触媒１５の触媒としては、ニッケル、ルテニウム、銅、鉄、白金、パラジウム、亜鉛、及びこれらの混合物や合金などが挙げられる。
【００５６】
この触媒を担持する担持体としては、多孔質セラミックスが挙げられ、この多孔質セラミックスとしては、アルミナ、ジルコニア、安定化ジルコニア、セリア、ドープセリア、ムライト、シリカ、及びこれらの混合物が挙げられる。
【００５７】
前記水素分離体３の本体３ａ、層３ｂ〜３ｄを構成する多孔質セラミックスとしては、イットリア安定化ジルコニア、安定化ジルコニア、アルミナ、マグネシア、セリア、ドープドセリアおよびこれらの混合物などが挙げられる。
【００５８】
水素分離金属層を構成する水素分離金属（水素透過性金属）としては、Ｐｄ単体、Ｐｄ合金（例えばＰｄＡｇ合金、ＰｄＣｕ合金、ＰｄＡｕ合金）等が挙げられる。水素脆化の抑制の点からは、Ｐｄ単体よりもＰｄＡｇ合金が望ましい。また、４５０℃以上の高温で使用される水素製造装置の場合には、ＰｄＡｇ合金が望ましい。
【００５９】
なお、本体３ａの軸方向端部などに、ガスの透過性の無い緻密部を接合してもよい。例えば、図７の水素分離体３のうち、装置殻体２５の天井面よりも上方に延出した部分をこの緻密部で構成することが好ましい。ここで、「ガス透過性の無い」とは、原料ガスや改質ガスの透過を防止できればよく、例えば相対密度７０％以上の緻密さが挙げられる。この緻密部を構成する材料としてはセラミックスが挙げられ、このセラミックスとしては、イットリア安定化ジルコニア、安定化ジルコニア、アルミナ、マグネシア、セリア、ドープドセリアおよびこれらの混合物などが挙げられる。
【００６０】
緻密部を有した水素分離体３を製造するには、例えば、ゴム型に、イットリア安定化ジルコニア造粒粉、次に、造孔材として４０〜５０体積％程度の有機ビーズを添加したイットリア安定化ジルコニア造粒粉の順番に充填する。緻密部を設けない場合には、ゴム型に有機ビーズ添加イットリア安定化ジルコニア造粒粉のみを充填する。その後、プレス成形法により、円筒有底管形状（試験管形状）に成形して、成形体を作製する。次に、この成形体を、脱脂後、１３００〜１５００℃程度で焼結することにより、本体３ａを作成する。
【００６１】
次に、イットリア安定化ジルコニア粉末を有機溶媒中に分散させたスラリーを作製し、ディップコーティング法により、本体３ａの多孔質部上に、層３ｂ，３ｃとなる層を付着させ、乾燥後、１１００〜１３００℃程度に加熱して焼き付けを行い、層３ｂ，３ｃを形成する。
【００６２】
次に、層３ｃの表面に、周知のＰｄの核付け処理を行った後、イットリア安定化ジルコニアスラリーをディップコーティングし、前記と同様に焼き付けることにより、層３ｄを形成する。次に、無電解めっき法により、多孔質層３ｃ内部のＰｄ核を成長させ、Ｐｄ等からなる水素分離金属層を形成する。
【００６３】
前記装置殻体２，２５や通気性ケース１０、チャンバ４０を構成する材料としては、例えばＳＵＳ３１６、ＳＵＳ６１３Ｌ、ＳＵＳ４３０のステンレス鋼が挙げられる。
【００６４】
上記実施の形態はいずれも本発明の一例であり、本発明は図示以外の形態とされてもよい。例えば、図示の触媒収容体４の積み重ね段数は一例であり、これに限定されない。触媒収容体４は１本の水素分離体３に対し１個だけ外嵌配置されてもよい。また、図示の水素製造装置では、水素分離体３が装置殻体の天井部から吊支される構成となっているが、装置殻体の底面部から立ち上がる構成とされてもよい。本発明では、前記特許文献２のように、触媒収容体４同士の間に原料ガスを撹拌して流れを乱す撹拌手段を設けてもよい。
【符号の説明】
【００６５】
１  水素製造装置
２，２５  装置殻体
３  水素分離体
４  触媒収容体
１０，１０Ａ，１０Ｂ  通気性ケース
１１  内周壁
１２  外周壁
１３  第１エンド壁
１４，１７  通気孔
１５  改質触媒
１６  第２エンド壁
１８  凸部
１９  凹部
２４  水素分離モジュール
４０  チャンバ
【図１】
2014156362.tif 000003
【図２】
2014156362.tif 000004
【図３】
2014156362.tif 000005
【図４】
2014156362.tif 000006
【図５】
2014156362.tif 000007
【図６】
2014156362.tif 000008
【図７】
2014156362.tif 000009
【図８】
2014156362.tif 000010
【図９】
2014156362.tif 000011